(57)【要約】　　　（修正有）【課題】椅子の背中保持部材の裏側に配置される衣類保持構造または枕を架設するためのサポート部材に対し昇降変位を実施できつつ、簡単な操作によって所定の高さの調整を実行できる、椅子の背中保持部材の昇降調整ロッドの組立構造を提供する。【解決手段】椅子の背中保持部材１の裏側の層面に載置収納槽１１を形成すると共に、それらの箇所に弾性部材２と当接部材３を収納でき、且つ外側に結合される係合部材４に置ける貫通孔４１に当接部材の一端の突出部３１の伸ばし出すことを許容でき、且つ椅子の背中保持部材のＬ字形サポート・アーム５の両側の載置管段５１同士にコ字形調整ロッド６を合わせ配置し、調整ロッドのある側の層面における凹んで形成される複数の所定のギャップを隔てされる切り欠き６１と椅子の背中保持部材の外方へ付勢される当接部材とを対応位置の安定な係合を実施する。【選択図】　　図１
0003097483.tif 000002
【実用新案登録請求の範囲】
【請求項１】
椅子の座り部の下端部に固定されるＬ字形サポート・アームによって椅子の背中保持部材の裏側と前記Ｌ字形サポート・アームの垂直段とを穏やかに一体になるように結合し、且つ椅子の背中保持部材の裏側に衣類保持用フレームや枕などを組立てるためのサポート部材を備える椅子の背中保持部材において、
前記の椅子の裏側の予め設定される段部に載置収納槽を凹ませて形成し、弾性部材と当接部材の納入に供し、且つ係合部材に貫通孔を加工形成することによって当接部材の突出部を対応する貫通孔より伸ばし出させ、且つ螺着部材によって前記係合部材を前記載置収納槽の両側に位置決め、且つ椅子の背中保持部材のＬ字形のサポート・アームの両側に固着される載置管段に対し、ある側の層面に複数の所定のギャップが隔てられるコ字形の調整ロッドを係合し、且つ調整ロッドにおけるギャップである切り欠きに対し、弾性部材の外方へ突き出される当接部材を係合することによって安定した係合状態を呈させるようにし、これらの処置を実行することによって、調整ロッドを直接的に上向きに引き上げる場合、高さを上昇させることができるようになり、また、降下させようとする場合、突出した当接部材の突出部を押し下げることによって調整ロッドにおける切り欠きを係合される状態より離脱させることができ、且つ所要する位置の調整を実行できるようになり、調整ロッドに合せられる衣類保持用フレームまたは枕に対し高さの昇降操作を実行する際に速やかな操作によって所要する位置への架設効果を直ちに得られるようにすることを特徴とする、椅子の背中保持部材の昇降調整ロッドの組立構造。
【請求項２】
前記コ字形調整ロッドに合わせて滑動可能に架設される載置管段が一体成形の方式によって前記椅子の背中保持部材の裏側の所定の高さに形成されることを特徴とする、請求項１に記載の椅子の背中保持部材の昇降調整ロッドの組立構造。
【考案の詳細な説明】
【０００１】
【考案の属する技術分野】
本考案は、椅子の背中保持部材の昇降調整ロッドの組立構造を提供し、主に椅子の背中保持部材の裏側において衣類フレームまたは枕を結合する用途に用いられる調整ロッドを個人の要する高さに応じて簡単な操作によって速やかで好ましい位置への架設効果を得られる考案に関するものである。
【０００２】
【従来の技術及びその課題】
業界で開発された椅子が一般の使用者の使用の便利性を図るために、椅子のそれぞれの部材に対し人体に適応した設計を実施し、マーケットにおけるそれぞれのタイプの椅子製品を観察すると、複数種の個人のニーズに応じて設計される座り性能が快適である椅子を発見できる。そのうち、椅子全体の高さの位置に応じて調整できるものもあるし、椅子の背中保持部材の傾斜角度の調整に応じて考案されるものもあり、また、両側の取っ手の高さや内外位置の架設や一方へ偏るように設定される調整機能を有するものや、椅子の背中保持部材の裏側に組立てられる衣類を保持するためのフレームや枕サポート部材の高さ及び位置調整が行える考案などが沢山ある。それらの処置手段によって椅子の使用上の様々な複数種の機能の実施が可能となる。
【０００３】
【考案の目的】
本考案は、前記に掲げられる同一の性能の、椅子の背中保持部材の裏側に配置される衣類保持構造または枕を架設するためのサポート部材に対し昇降変位を実施できつつ、簡単な操作によって所定の高さの調整を実行できる、椅子の背中保持部材の昇降調整ロッドの組立構造を提供することをその主要な目的とする。
【０００４】
【課題を解決するための手段】
本考案は、前記の目的を図るために、椅子の背中保持部材の裏側の層面に載置収納槽を形成すると共に、それらの箇所に弾性部材と当接部材を収納でき、且つ外側に結合される係合部材に置ける貫通孔に当接部材の一端の突出部を伸ばし出すことを許容でき、且つ椅子の背中保持部材のＬ字形サポート・アームの両側の載置管段同士にコ字形調整ロッドを合わせ配置し、調整ロッドのある側の層面における凹んで形成される複数の所定のギャップを隔てられる切り欠きと椅子の背中保持部材の外方へ付勢される当接部材とを対応位置の安定した係合を実施することによって、調整ロッドを上昇させようとする場合に単に引き上げるだけでよく、且つ降下させようとする場合、当接部材の一端の突出部を押し下げてその切り欠きより離脱させることによって速やかな位置調整を実施可能にし、調整ロッドにおける衣類フレームまたは枕に対し高さ昇降を実行する場合に、速やかな操作によって所定の位置の架設の効果を達成できる、椅子の背中保持部材の昇降調整ロッドの組立構造を提供する。
【０００５】
以下に添付図面を参照しながら本考案の好適な実施の形態を詳細的で具体的に説明する。
【０００６】
【考案の実施の形態】
本考案の椅子の背中保持部材の昇降調整ロッドの組立構造は、図１に示すように、主に椅子の背中保持部材（１）とＬ字形サポート・アーム（５）とコ字形調整ロッド（６）とを含む。
【０００７】
そのうち、前記の椅子の背中保持部材（１）の裏側の層面における予め設定される段落（ここでは上方の段落の場合を例として説明する）に載置収納槽（１１）を凹ませて形成し、この箇所に弾性部材（２）とＴ字形当接部材（３）を収納でき、且つ係合部材（４）に形成される貫通孔（４１）に当接部材（３）の対応する一端の突出部（３１）を伸ばし出すことを許容でき、また、螺着部材（８）によって係合部材（４）の両側を載置収納槽（１１）の対応しあう層面に位置決めして取り付ける。
【０００８】
また、前記Ｌ字形サポート・アーム（５）は、その垂直段落の上方近傍の左右側に、それぞれコ字形調整ロッド（６）の外径に従って決められる管径を有し、且つ所定の長さを有する載置管段（５１）が固着されている。
【０００９】
また、前記のコ字形調整ロッド（６）は、前記Ｌ字形サポート・アーム（５）の両側に固着される載置管段（５１）の間のギャップに応じてその調整を決める活動式昇降ロッド体であり、その調整ロッド（６）のある側の層面に複数の対応しあうギャップである切り欠き（６１）（ここでは、切り欠き（６１）が下向きに傾斜する形態になるように実施される）を形成している。
【００１０】
また、本考案の設計による昇降調整ロッドの組立構造において、そのコ字形調整ロッド（６）の架設される活動式載置管段として、椅子の背中保持部材（１）を製造する際にコ字形調整ロッド（６）の二つのロッド同士間のギャップとロッド径に従って一体成形になるように前記載置管段（１２）（図２参照、ここでは載置管段（１２）の材質と椅子の背中保持部材（１）とが同一の強度を有するように成形される）を成形し、これに対して、Ｌ字形サポート・アーム（５）は単純に椅子の背中保持部材（１）を固着するためのサポート部材とする。
【００１１】
組立の実施（図３と図４参照）は、まず弾性部材（２）と当接部材（３）とを順次に椅子の背中保持部材（１）の載置収納槽（１１）に取り付け、また、貫通孔（４１）を有する係合部材（４）によって当接部材（３）の一端の突出部（３１）を伸び出させ、また、螺着部材（８）によって係合部材（４）の両端部を前記載置収納槽（１１）の両端部に旋回ロックし、また、垂直段を椅子の背中保持部材（１）の重心段落に合わせて穏やかな寄せ付けをすると共に、螺着部材（８）によって二つの部材を一体になるように旋回ロックし、それからコ字形調整ロッド（６）をＬ字形サポート・アーム（５）の両側の載置管段（５１）の間に係入し（ここでは図１の部材の形式によって組立を実施する）、活動可能に架設されるコ字形調整ロッド（６）において凹んで形成される切り欠き（６１）が椅子の背中保持部材（１）に取り付けられる外方へ付勢される当接部材（３）に対し安定した位置の係合を実行できる（図４参照）。
【００１２】
調整の実施（図４参照）は、調整ロッド（６）を上方へ挙げようとする場合、単に手によって直接的に調整ロッド（６）を上向きに引っ張ればよい。所定の位置に至ると共に、当接部材（３）の設けてある箇所に至る際に動作を停止し、コ字形調整ロッド（６）における切り欠き（６１）が当接部材（３）の相応層面に穏やかに係入できる（図４の差し込む状態参照）。
【００１３】
また、調整ロッド（６）を下向きに降下させようとする場合（図５参照）、単に手で椅子の背中保持部材（１）における伸び出した当接部材（３）の突出部（３１）を押し付けることによってコ字形調整ロッド（６）における切り欠き（６１）を当接部材（３）の当接状態より離脱させると共に、所要する高さの調整を実施し、所定の位置に至ると共に、当接部材（３）の設けてある部位に至るように調整すると、動作を停止し、コ字形調整ロッド（６）における切り欠き（６１）に再び外方へ伸び出すように付勢される当接部材（３）の対応する層面の係入を受けさせる（図４の差し込む状態）。
【００１４】
本考案を椅子の背中保持部材（１）の後側に組立ててから、弾性係入されるコ字形調整ロッド（６）の上端部を利用して衣類保持用のフレーム（９）または頭の寄せ付けることを受けられる枕（１０）を結合でき、一般の人々が衣類を掛ける場合、または枕（１０）を設けて頭を寄せ付ける場合に、速やかな操作によって設定しようとする位置への架設効果を実現できる。
【図面の簡単な説明】
【図１】本考案の昇降調整ロッドの部材を示す分解斜視図である。
【図２】本考案の昇降調整ロッドの他の実施の形態の部材を示す分解斜視図である。
【図３】本考案の昇降調整ロッドを椅子に取り付ける場合を示す外見図である。
【図４】本考案の昇降調整ロッドが上昇を実行する場合を示す側面断面図である。
【図５】本考案の昇降調整ロッドが降下を実行する場合を示す側面断面図である。
【図６】本考案の昇降調整ロッドが衣類保持用フレームを合わせて使用される場合を示す説明図である。
【図７】本考案の昇降調整ロッドが枕を合わせて使用される場合を示す説明図である。
【符号の説明】
１　　　椅子の背中保持部材
１１　　載置収納槽
１２　　載置管段
２　　　弾性部材
３　　　当接部材
３１　　突出部
４　　　係合部材
４１　　貫通孔
５　　　Ｌ字形サポート・アーム
５１　　載置管段
６　　　コ字形調整ロッド
６１　　切り欠き
８　　　螺着部材
９　　　フレーム
１０　　枕
【図１】
0003097483.tif 000003
【図２】
0003097483.tif 000004
【図３】
0003097483.tif 000005
【図４】
0003097483.tif 000006
【図５】
0003097483.tif 000007
【図６】
0003097483.tif 000008
【図７】
0003097483.tif 000009